(57)【特許請求の範囲】
【請求項１】
情報を記憶する管理装置と、記憶媒体が接続された端末装置とを有するシステムにおいて、前記記憶媒体のＩＤ情報に対応付けられた情報の記憶および/または検索のための制御方法であって、
情報を記憶する場合において、
前記端末装置は、
情報の入力を受付け、前記記憶媒体から前記記憶媒体のＩＤ情報と、当該ＩＤ情報を含む複数のＩＤ情報に対応付けられた属性情報とを読出し、読み出したＩＤ情報および属性情報を、入力された情報と共に、前記管理装置に送信し、
前記管理装置は、
前記端末装置が送信した情報をＩＤ情報および属性情報と共に受信し、受信した情報を、当該情報と共に受信したＩＤ情報および属性情報に対応付けて記憶し、
情報を検索する場合において、
前記端末装置は、
前記記憶媒体から前記記憶媒体のＩＤ情報と、当該ＩＤ情報を含む複数のＩＤ情報に対応付けられた属性情報とを読出し、読み出した属性情報がテンポラリデータベースに記憶されているか否かを調べ、
前記記憶媒体から読み出した属性情報が前記テンポラリデータベースに記憶されていない場合、当該属性情報を前記管理装置に送信して、前記管理装置から当該属性情報に対応付けられて前記管理装置に登録されている複数のＩＤ情報および情報の組合せを受信し、当該属性情報に対応付けて前記テンポラリデータベースに記憶し、それから、前記記憶媒体から読み出した属性情報に対応付けられて前記テンポラリデータベースに記憶されているＩＤ情報の中から、前記記憶媒体から読み出したＩＤ情報を検索し、検索したＩＤ情報に対応付けられて前記テンポラリデータベースに記憶されている情報を出力し、
一方、前記記憶媒体から読み出した属性情報が前記テンポラリデータベースに記憶されている場合、当該属性情報に対応付けられて前記テンポラリデータベースに記憶されているＩＤ情報の中から、前記記憶媒体から読み出したＩＤ情報を検索し、検索したＩＤ情報に対応付けられて前記テンポラリデータベースに記憶されている情報を出力し、
前記管理装置は、
前記記憶媒体から読み出した属性情報が前記テンポラリデータベースに記憶されていない場合に前記端末装置が送信した属性情報を受信し、受信した属性情報に対応付けられて自管理装置に記憶されている複数のＩＤ情報および情報の組合せを、前記端末装置に送信すること
を特徴とする情報の記憶および/または検索のための制御方法。
【請求項２】
請求項１に記載の情報の記憶および/または検索のための制御方法であって、
前記記憶媒体には、ＩＤ情報を認証するための認証情報がさらに記憶されており、
情報を記憶する場合において、
前記端末装置は、認証情報をＩＤ情報および属性情報と共に前記記憶媒体から読出し、前記記憶媒体から読み出したＩＤ情報を、当該認証情報に基づいて認証し、認証が成立した場合にのみ、読み出したＩＤ情報および属性情報を、入力された情報と共に、前記管理装置に送信し、
情報を検索する場合において、
前記端末装置は、認証情報をＩＤ情報および属性情報と共に前記記憶媒体から読出し、前記記憶媒体から読み出したＩＤ情報を、当該認証情報に基づいて認証し、認証が成立した場合にのみ、当該ＩＤ情報に対応付けられて前記テンポラリデータベースに記憶されている情報を出力すること
を特徴とする情報の記憶および/または検索のための制御方法。
【請求項３】
請求項１又は２に記載の情報の記憶および/または検索のための制御方法であって、
前記端末装置は、前記テンポラリデータベースを有すること
を特徴とする情報の記憶および/または検索のための制御方法。
【請求項４】
請求項１乃至３のいずれか一項に記載の情報の記憶および/または検索のための制御方法であって、
記憶および/または検索される情報は、前記記憶媒体のユーザＩＤ番号を含むこと
を特徴とする情報の記憶および/または検索のための制御方法。
【請求項５】
請求項１乃至４のいずれか一項に記載の情報の記憶および/または検索のための制御方法であって、
前記端末装置は、前記テンポラリデータベースから読み出した情報を表示すること
を特徴とする情報の記憶および/または検索のための制御方法。
【請求項６】
記憶媒体のＩＤ情報に対応付けられた情報を記憶および/または検索する管理システムであって、
端末装置と、管理装置とを有し、
前記管理装置は、
情報を記憶するための第１の記憶手段と、
前記端末装置と通信を行うための第１の通信手段と、
情報を記憶する場合に、前記端末装置から受信した情報を、当該情報と共に前記端末装置から受信した前記記憶媒体のＩＤ情報、および当該ＩＤ情報を含む複数のＩＤ情報に対応付けられた属性情報に対応付けて、前記第１の記憶手段に記憶し、
情報を検索する場合に、前記端末装置から受信した属性情報に対応付けられて前記第１の記憶手段に記憶されている複数のＩＤ情報および情報の組合せを、前記第１の通信手段を用いて前記端末装置に送信する第１の制御手段と、を有し、
前記端末装置は、
情報の入力を受付ける受付手段と、
前記記憶媒体から、前記記憶媒体のＩＤ情報、および当該ＩＤ情報を含む複数のＩＤ情報に対応付けられた属性情報を読み出す読取手段と、
前記管理装置と通信を行なうための第２の通信手段と、
情報を記憶する場合に、前記読取手段により読み出されたＩＤ情報および属性情報を、前記受付手段により入力を受付けた情報と共に、前記第２の通信手段を用いて前記管理装置に送信し、
情報を検索する場合に、前記読取手段により読み出された属性情報が第２の記憶手段に記憶されているか否かを調べ、当該属性情報が前記第２の記憶手段に記憶されていない場合は、前記第２の通信手段を用いて、当該属性情報を前記管理装置に送信して、前記管理装置から当該属性情報に対応付けられた複数のＩＤ情報および情報の組合せを受信し、当該属性情報に対応付けて前記第２の記憶手段に記憶し、それから、当該属性情報に対応付けられて前記第２の記憶手段に記憶されているＩＤ情報の中から、当該属性情報と共に前記記憶媒体から読み出したＩＤ情報を検索し、検索したＩＤ情報に対応付けられて前記第２の記憶手段に記憶されている情報を読み出し、
一方、当該属性情報が前記第２の記憶手段に記憶されている場合は、当該属性情報に対応付けられて前記第２の記憶手段に記憶されているＩＤ情報の中から、前記記憶媒体から読み出したＩＤ情報を検索し、検索したＩＤ情報に対応付けられて前記第２の記憶手段に記憶されている情報を読み出す第２の制御手段と、を有すること
を特徴とする管理システム。
【請求項７】
請求項６に記載の管理システムであって、
前記記憶媒体は、
前記記憶媒体のＩＤ情報、および当該ＩＤ情報を含む複数のＩＤ情報に対応付けられた属性情報が記憶された電子回路チップと、
前記端末装置から受信した電波を利用して電力を発生させ、前記電子回路チップよりＩＤ情報および属性情報を読み出して送信するアンテナ素子と、を有し、
前記読取手段は、電波を前記記憶媒体に送信すること
を特徴とする管理システム。
【請求項８】
請求項６又は７に記載の管理システムであって、
前記端末装置は、表示手段をさらに有し、
前記第２の制御手段は、前記第２の記憶手段から読み出した情報を前記表示手段に表示させること
を特徴とする管理システム。
【請求項９】
請求項６乃至８のいずれか一項に記載の管理システムであって、
前記記憶媒体には、ＩＤ情報を認証するための認証情報がさらに記憶されており、
前記読取手段は、認証情報をＩＤ情報および属性情報と共に前記記憶媒体から読出し、
前記端末装置は、前記読取手段により読み出された認証情報に基づいて、当該認証情報と共に前記記憶媒体から読み出されたＩＤ情報を認証する認証手段をさらに有し、
前記第２の制御手段は、
情報を記憶する場合において、前記読取手段により読み出されたＩＤ情報に対して前記認証手段による認証が成立した場合にのみ、当該ＩＤ情報および当該ＩＤ情報と共に前記記憶媒体から読み出された属性情報を、前記受付手段により入力を受付けた情報と共に、前記第２の通信手段を用いて前記管理装置へ送信し、
情報を検索する場合において、前記読取手段により読み出されたＩＤ情報に対して前記認証手段による認証が成立した場合にのみ、当該ＩＤ情報に対応付けられて前記第２の記憶手段に記憶されている情報を読み出すこと
を特徴とする管理システム。
【請求項１０】
請求項６乃至９のいずれか一項に記載の管理システムであって、
前記端末装置は、前記第２の記憶手段を有すること
を特徴とする管理システム。
【請求項１１】
請求項６乃至１０のいずれか一項に記載の管理システムであって、
記憶および/または検索される情報は、前記記憶媒体のユーザＩＤ番号を含むこと
を特徴とする管理システム。
【発明の詳細な説明】
【０００１】
【発明の属する技術分野】
本発明は、電子回路チップを搭載したＩＣカードや磁気記録カードなどの記憶媒体を用いたシステムに関する。
【０００２】
【従来の技術】
近年、集積回路チップなどの電子回路チップの小型化・薄型化の進展に伴い、様々な電子回路チップの利用形態が提案されている。たとえば、特開平３−３８３９６号公報に記載されているように、情報を記憶する電子回路チップを、当該電子回路チップより情報を非接触で読み出すためのアンテナ素子とともに、カードに搭載して使用する形態が提案されている。このようなカードは、たとえば、電子回路チップに当該カードの所有者の情報を格納しておけば、ＩＤカードとして利用することができ、また、電子回路チップに当該カードが付される商品の情報を格納しておけば、タグとして利用することができる。
【０００３】
【発明が解決しようとする課題】
ところで、このようなカードにおいて、格納できる情報量とカードのサイズは、トレードオフの関係にある。すなわち、より多くの情報を格納しようとすると、電子回路チップのサイズがそれだけ大きくなる。したがって、カードのサイズも大きくなり、携帯性が損なわれる。一方、携帯性を考慮して、カードのサイズを小さくすると、搭載できる電子回路チップのサイズもそれだけ小さくなり、したがって、格納できる情報量が減少する。この関係は、電子回路チップを用いたカードに限らず、磁気記録カードなどのその他の記憶媒体でも成立する。
【０００４】
また、上記のような電子回路チップを搭載したカードにおいて、情報を追記できるようにするためには、電子回路チップに書き換え可能なメモリ（ＲＡＭ）を搭載しなければならない。一般に、書き換え可能なメモリは、書き換え不可のメモリ（ＲＯＭ）に比べ、サイズが大きく、また高価である。したがって、書き換え可能なメモリ（ＲＡＭ）を搭載した電子回路チップを用いて、情報を追記できるようにカードを構成すると、カードのサイズも大きくなり、携帯性が損なわれる。また、値段も高価なものとなってしまう。
【０００５】
本発明は、上記事情に鑑みてなされたものであり、本発明の目的は、電子回路チップを搭載したカードや磁気記録カードなどの記憶媒体に、当該記憶媒体が記憶可能な容量を越えた情報を、あるいは、書き換え不可の記憶媒体に、情報を、あたかも追記できるように取り扱えるようにすることにある。
【０００６】
【課題を解決するための手段】
上記課題を解決するために、本発明は、ＩＤ情報が記憶された記憶媒体への書き込み情報の管理方法であって、
前記記憶媒体のＩＤ情報を管理する管理装置と、前記記憶媒体より情報を読み出すとともに前記管理装置から送信された情報を表示する端末を設け、
前記記憶媒体に書き込み情報を追記する場合、前記端末は、当該記憶媒体からＩＤ情報を読み出して、当該ＩＤ情報を、当該端末が受け付けた書き込み情報とともに前記管理装置に送信し、前記管理装置は、当該書き込み情報を当該ＩＤ情報に対応付けて登録し、
前記記憶媒体に追記された書き込み情報を調べる場合、前記端末は、当該記憶媒体からＩＤ情報を読み出して、当該ＩＤ情報を前記管理装置に送信し、前記管理装置は、当該ＩＤ情報に対応付けられて登録された書き込み情報を前記端末に送信することを特徴とする。
【０００７】
ここで、記憶媒体としては、たとえば、ＩＤ情報が予め記憶された電子回路チップと、受信した電波を利用して電力を発生させ、当該電子回路チップより情報を読み出して送信するためアンテナ素子が、紙やプラスチックなどのシートに搭載されて構成されたものが挙げられる。この場合、端末として、電波を発生して前記記憶媒体よりＩＤ情報を非接触で読み取る機能を備えたものが用いられる。また、記憶媒体より読み出したＩＤ情報の管理装置への送信が、無線あるいは公衆網などを利用して行なわれる場合には、当該送信に暗号通信を利用することが好ましい。
【０００８】
本発明では、記憶媒体に書き込み情報を追記する場合、端末は、記憶媒体よりＩＤ情報を読み出して書き込み情報とともに管理装置に送信する。これを受けて、管理装置は、当該書き込み情報を当該ＩＤ情報に対応付けて登録する。一方、記憶媒体の書き込み情報を調べる場合、端末は、記憶媒体よりＩＤ情報を読み出して管理装置に送信する。これを受けて、管理装置は、当該ＩＤ情報に対応付けられて登録された書き込み情報を端末に送信する。端末は、管理装置より送信された書き込み情報を表示する。
【０００９】
このように、本発明によれば、記憶媒体に追記すべき書き込み情報は、管理装置にて、当該記憶媒体のＩＤ情報に対応付けられて管理されるため、追記すべき情報が当該記憶媒体の記憶容量を越えている場合であっても、あるいは、当該記憶媒体が書き換え不可である場合であっても、書き込み情報を、あたかも追記できるように取り扱うことができる。
【００１０】
なお、本発明において、記録媒体に、管理装置が所有する鍵を用いて認証可能なＩＤ情報の認証情報を当該ＩＤ情報とともに予め記憶しておくようにしてもよい。このようにすることで、記憶媒体に記憶されたＩＤ情報の改ざんの有無を、当該ＩＤ情報とともに記憶された認証情報と管理装置が所有する鍵を用いて検証することが可能になるので、記憶媒体に格納されているＩＤ情報の改ざん等に対するセキュリティを向上させることができる。
【００１１】
また、本発明において、記憶媒体にＩＤ情報とともに属性情報を予め記憶させるとともに、管理装置に、記録媒体のＩＤ情報とその書き込み情報を当該記録媒体に記録された属性情報に対応付けて管理させるようにしてもよい。そして、端末に、管理装置が管理するＩＤ情報と書き込み情報のうち、少なくとも１つの属性情報に対応付けられたＩＤ情報と書き込み情報を管理させ、記憶媒体に追記された書き込み情報を調べる場合には、当該記憶媒体からＩＤ情報と属性情報を読み出し、読み出した属性情報に対応付けられたＩＤ情報を端末自身が管理しているか否かを調べさせるようにしてもよい。
【００１２】
この場合、端末自身が管理しているのであれば、直ちに、端末自身が管理しているＩＤ情報のなかから前記読み出したＩＤ情報を検索して、当該ＩＤ情報に対応付けられた書き込み情報を表示することができるので、管理装置へアクセスする必要がなくなり、書き込み情報の検索・表示を高速に行なうことが可能となる。なお、端末自身が管理していない場合は、前記読み出した属性情報に対応付けられたＩＤ情報と書き込み情報を管理装置から取得して、自身が管理するＩＤ情報と書き込み情報の内容を更新させてから、端末自身が管理しているＩＤ情報のなかから前記読み出したＩＤ情報を検索して、当該ＩＤ情報に対応付けられた書き込み情報を表示するようにすればよい。
【００１３】
さらに、本発明において、管理装置に、記憶媒体のＩＤ情報を当該記憶媒体の利用者が設定可能なユーザＩＤ情報に対応付けて管理させるようにしてもよい。この場合、記憶媒体に追記された書き込み情報を調べる場合には、端末が当該記憶媒体よりＩＤ情報を読み出して管理装置に送信する。これを受けて、管理装置は、送信されたＩＤ情報に対応付けられて登録された書き込み情報とユーザＩＤ情報を端末に送信する。
【００１４】
このようにすると、記憶媒体の利用者は、独自の管理情報であるユーザＩＤ情報を記録媒体に付与することが可能になるので、利用者は、記録媒体の管理を効率よく行なうことができる。
【００１５】
【発明の実施の形態】
以下に、本発明の第１実施形態について説明する。
【００１６】
図１は本発明の第１実施形態が適用された管理システムの概略構成図である。
【００１７】
図示するように、管理装置３０および携帯装置２０は、携帯電話やＰＨＳといった移動体通信の無線基地局４０と公衆網５０を介して互いに接続されている。管理装置３０は、ＩＣカード１０への書き込み情報を当該ＩＣカード１０に記憶されているＩＤ番号に対応付けて管理する。携帯装置１０は、ＩＣカード１０に記憶されている情報を非接触で読み出す機能と、携帯電話やＰＨＳといった移動体通信としての機能を有し、ＩＣカード１０に記憶された情報を読み出して管理装置３０に送信したり、管理装置３０より送られてきた情報を表示したりする。
【００１８】
次に、本実施形態の管理システムを構成する各装置について説明する。
【００１９】
まず、ＩＣカード１０について説明する。
【００２０】
図２（ａ）は、本発明の第１実施形態で用いるＩＣカード１０の概略構成を示す図である。
【００２１】
図示するように、ＩＣカード１０は、情報を記憶する機能と、受信した電波を利用して電力を発生させ、記憶した情報を読み出して送信する機能を備えた電子回路チップ１２が、紙やプラスチックなどのシート１１上に装着されて、あるいは、２つのシート１１の間に挟み込まれて構成されている。
【００２２】
図２（ｂ）に、電子回路チップ１２の構成例を示す。
【００２３】
ここで、電源発生回路１２１は、アンテナ１２２で受信した電波を利用して電力を発生させ、電子回路チップ１２の各部に供給する。セレクタ１２３は、送受信回路１２４の送受信状態を切り替える。通常は、送受信回路１２４を受信状態に設定しておき、メモリセル１２５から情報が読み出された場合にのみ、送受信回路１２４を送信状態に設定する。クロック抽出回路１２６およびカウンタ回路１２７は、アンテナ１２２および送受信回路１２４を介して受信した電波を利用して、メモリセル１２５から情報を読み出すためのクロックを生成する。メモリ読み出し回路１２８は、生成されたクロックにしたがい、メモリセル１２５から情報を読み出し、これを、送受信回路１２４およびアンテナ１２２を介して送信する。
【００２４】
電子回路チップ１２は、たとえば縦横０．３ｍｍ角、厚さ１０μｍ以下の小型の電子回路チップであり、メモリセル１２５およびメモリ読み出し回路１２８として１２８ビットの容量を持つＲＯＭが搭載される。
【００２５】
ここで、電子回路チップ１２のメモリセル１２５に記憶されている情報について説明する。ここでは、メモリセル１２５として、１２８ビットの容量を持つものを用いた場合について説明する。
【００２６】
図３（ａ）は、電子回路チップ１２のメモリセル１２５に記憶されている情報を説明するための図である。図示するように、メモリセル１２５には、電子回路チップ１２の提供者により、ＩＤ番号と少なくとも１つのアトリビュート番号Ａ1〜Ａn（１≦ｎ）とＫｅｙｅｄ  ＭＡＣ(Message Authentication Code)とが予め記憶されている。ＩＤ番号は、電子回路チップ１２を識別するのに用いられるものであり、電子回路チップ１２毎にユニークな番号が割り当てられる。アトリビュート番号Ａ1〜Ａnは、電子回路チップ１２が搭載されたＩＣカード１０を分類するために用いられるものであり、たとえば、ＩＣカードの利用形態（ＩＣカードの購入者が管理する個人を証明するための証明書としての利用か、あるいは、ＩＣカードの購入者が販売する商品を管理するための商品タグとしての利用かなど）やＩＣカードの購入者などの、ＩＣカードの各属性毎に、ユニークな番号が割り当てられる。Ｋｅｙｅｄ  ＭＡＣ(Message Authentication Code)は、電子回路チップ１２の提供者が所有する秘密鍵を用いて、ＩＤ番号およびアトリビュート番号（あるいはそれらのハッシュ値）を暗号化することで得られるコードである。このコードは、メモリセル１２５に記憶されたＩＤ番号およびアトリビュート番号の改ざん検知のために用いられる。図３（ａ）に示す例では、ＩＤ番号およびアトリビュート番号に１２８ビットのうちの９６ビットを割り当て、Ｋｅｙｅｄ  ＭＡＣに残りの３２ビットを割り当てるようにしている。このようにすれば、電子回路チップ１２毎に９６ビットのユニークな番号を割り当てることができる。９６ビットで形成されるユニークな番号の数は２96であり、電子回路チップ１２毎にユニークな番号を割り当てるのに十分な数といえる。
【００２７】
次に、携帯装置２０について説明する。
【００２８】
図４は、本発明の第１実施形態で用いる携帯装置２０の概略構成を示す図である。
【００２９】
図示するように、携帯装置２０は、ＩＣカードインターフェース部２１と、無線通信インターフェース部２２と、暗復号化部２３と、入力部２４と、表示部２５と、制御部２６を有する。
【００３０】
ＩＣカードインターフェース部２１は、ＩＣカード１０に電力を発生させるための電波を発生し、ＩＣカード１０から送信された情報を受信する。これにより、ＩＣカード１０から情報を非接触で読み取る。
【００３１】
無線通信インターフェース部２２は、携帯電話やＰＨＳとしての機能を有し、無線基地局４０および公衆網５０を介して、管理装置３０と通信を行なう。
【００３２】
暗復号化部２３は、管理装置３０へ送信する情報を、管理装置３０との間で秘密裏に保持する共通鍵、あるいは、管理装置３０が秘密裏に保持する秘密鍵と対の公開鍵を用いて暗号化する。また、管理装置３０より送られてきた暗号情報を、管理装置３０との間で秘密裏に保持する共通鍵、あるいは、自装置が秘密裏に保持する秘密鍵を用いて復号化する。これにより、管理装置３０との間で暗号通信を実現する。
【００３３】
入力部２４は、操作者より、ＩＣカード１０の書き込み情報の書き込み指示や表示指示を受け付ける。また、ＩＣカード１０の書き込み情報の入力を受け付ける。
【００３４】
表示部２５は、入力部２４で受け付けた書き込み情報や、管理装置３０より送信され、暗復号化部２３で復号化された情報を表示する。
【００３５】
制御部２６は、携帯装置２０の各部を制御して、ＩＣカード１０の書き込み情報の表示や追記を行なう。
【００３６】
図５は、図４に示す携帯装置２０のハードウエア構成例を示す図である。
【００３７】
図示するように、携帯装置２０は、ＣＰＵ２０１と、メモリ２０２と、ハードディスクや可搬性の記憶媒体（ＣＤ−ＲＯＭやＦＤなど）を備えた外部記憶装置２０３と、タッチセンサ付き液晶ディスプレイなどの入力兼表示装置２０５と、ＩＣカード１０から非接触で情報を読み出すためのＩＣカードリーダ２０６と、携帯電話やＰＨＳとしての機能を有する無線電話機２０７と、外部記憶装置２０３、入力兼表示装置２０５、ＩＣカードリーダ２０６および無線電話機２０７とＣＰＵ２０１、メモリ２０２との間のインターフェース２０８とを備えた、一般的な構成を有する携帯型の電子計算機（たとえばＰＤＡ(Personal Disital Assistant)）上に構築することができる。
【００３８】
ここで、ＩＣカードインターフェース部２１はＩＣカードリーダ２０６（このようなＩＣカードリーダは既に多くのものが実用化されている）に相当し、無線通信インターフェース部２２は無線電話機２０７に相当し、そして、入力部２４および表示部２５は入力兼表示装置２０５に相当する。ＩＣカードリーダ２０６や無線電話機２０７は、必ずしも携帯装置２０と一体化されている必要はなく、いわゆる外付けタイプのものであってもよい。
【００３９】
また、暗復号化部２３および制御部２６は、ＣＰＵ２０１がメモリ２０２上にロードされたプログラムを実行することで、電子計算機上に具現化されるプロセスとして実現される。このプログラムは、予めハードディスクや可搬性の記憶媒体に記憶され、必要に応じて、外部記憶装置２０３から読み出されてメモリ２０２上にロードされ、ＣＰＵ２０１により実行される。あるいは、無線電話機２０７を介して、外部記憶装置２０３が備えるハードディスクやＦＤなどにダウンロードされ、それからメモリ２０２上にロードされ、または、直接メモリ２０２上にロードされて、ＣＰＵ２０１により実行される。
【００４０】
次に、管理装置３０について説明する。
【００４１】
図６は、本発明の第１実施形態で用いる管理装置３０の概略構成を示す図である。
【００４２】
図示するように、管理装置３０は、ＩＤデータベース３１と、通信インターフェース部３２と、暗復号化部３３と、検証部３４と、制御部３５を有する。
【００４３】
ＩＤデータベース部３１には、図７（ａ）に示すように、ＩＣカード１０の電子回路チップ１２の提供者が各電子回路チップ１２に割り当てたＩＤ番号が、当該ＩＤ番号とともに割り当てたアトリビュート番号に対応付けられて登録されている。また、各ＩＤ番号が登録された欄には、書き込み情報を登録するためのエリアが設けられており、必要に応じて、その内容が更新される。
【００４４】
通信インターフェース部３２は、公衆網５０および無線基地局４０を介して、携帯装置２０と通信を行なう。
【００４５】
暗復号化部３３は、携帯装置２０へ送信する情報を、携帯装置２０との間で秘密裏に保持する共通鍵、あるいは、携帯装置２０が秘密裏に保持する秘密鍵と対の公開鍵を用いて暗号化する。また、携帯装置２０より送られてきた暗号情報を、携帯装置２０との間で秘密裏に保持する共通鍵、あるいは、自装置が秘密裏に保持する秘密鍵を用いて復号化する。これにより、携帯装置２０との間で暗号通信を実現する。
【００４６】
検証部３４は、携帯装置２０より送られてきたＫｅｙｅｄ  ＭＡＣを、電子回路チップ１２の提供者がこれを生成するのに用いた秘密鍵と対の公開鍵を用いて復号化し、これをＫｅｙｅｄ  ＭＡＣとともに送られてきたＩＤ番号やアトリビュート番号と比較することで、当該ＩＤ番号やアトリビュート番号を検証する。
【００４７】
制御部３５は、管理装置３０の各部を制御して、ＩＤデータベース３１への書き込み情報の登録や、ＩＤデータベース３１からの書き込み情報の読み出しを行なう。
【００４８】
図８は、図６に示す管理装置３０のハードウエア構成例を示す図である。
【００４９】
図示するように、管理装置３０は、ＣＰＵ３０１と、メモリ３０２と、ハードディスク装置などの外部記憶装置３０３と、可搬性の記憶媒体（ＣＤ−ＲＯＭやＦＤなど）から情報を読み出すための外部記憶装置３０４と、公衆網５０に接続するための通信装置３０７と、外部記憶装置３０３、３０４および通信装置３０７とＣＰＵ３０１、メモリ３０２との間のインターフェース３０８とを備えた、一般的な構成を有する電子計算機（たとえばＰＣ(Personal Computer)）上に構築することができる。
【００５０】
ここで、ＩＤデータベース部３１は外部記憶装置３０３に相当し、通信インターフェース部３２は通信装置３０７に相当する。
【００５１】
また、暗復号化部３３、検証部３４および制御部３５は、ＣＰＵ３０１がメモリ３０２上にロードされたプログラムを実行することで、電子計算機上に具現化されるプロセスとして実現される。このプログラムは、外部記憶装置３０３に記憶され、必要に応じて、読み出されてメモリ３０２上にロードされ、ＣＰＵ３０１により実行される。あるいは、外部記憶装置３０４によりＣＤ−ＲＯＭやＦＤなどの可搬性の記憶媒体から読み出されて、一旦、外部記憶装置３０３にインストールされた後、必要に応じて、読み出されてメモリ３０２上にロードされ、ＣＰＵ３０１により実行される。あるいは、直接、可搬性の記憶媒体から読み出されてメモリ３０２上にロードされ、ＣＰＵ３０１により実行される。さらには、通信装置３０７を介して、外部記憶装置３０３や、外部記憶装置３０４に装着されたＦＤなどの書き込み可能な記憶媒体にダウンロードされ、それからメモリ３０２上にロードされ、あるいは、直接メモリ３０２上にロードされて、ＣＰＵ３０１により実行される。
【００５２】
次に、上記構成の管理システムの動作について説明する。
【００５３】
まず、携帯装置２０の操作者が、ＩＣカード１０の書き込み情報を調べる場合の動作について説明する。
【００５４】
図９は、本発明の第１実施形態において、携帯装置２０の操作者がＩＣカード１０の書き込み情報を調べる場合の動作の流れを示した図である。この図に示す動作は、携帯装置２０の操作者が、携帯装置２０をＩＣカード１０に近づけて、携帯装置２０の入力部２４にＩＣカード１０の書き込み情報の表示指示を入力すると開始される。
【００５５】
まず、携帯装置２０の制御部２６は、入力部２４を介して、操作者よりＩＣカード１０の書き込み情報の表示指示を受け付けると（Ｓ１００１）、ＩＣカードインターフェース部２１を起動する。これにより、ＩＣカードインターフェース部２１は、電波を発生させ出力する（Ｓ１００２）。
【００５６】
ＩＣカード１０に搭載された電子回路チップ１２は、アンテナ１２２でこの電波を受信し、電源発生回路１２１により電力を発生させ、電子回路チップ１２の各部を起動する（Ｓ１００３）。それから、カウンタ回路１２７およびクロック抽出回路１２６で生成したクロックにしたがい、メモリ読み出し回路１２８により、メモリセル１２５から、電子回路チップ１２の提供者により予め記憶されたＩＤ番号、アトリビュート番号およびＫｅｙｅｄ  ＭＡＣを読み出し（Ｓ１００４）、セレクタ１２３および送受信回路１２４により、アンテナ１２２から出力する（Ｓ１００５）。
【００５７】
携帯装置２０の制御部２６は、ＩＣカードインターフェース部２１を介して、ＩＣカードが送信した情報（ＩＤ番号、アトリビュート番号およびＫｅｙｅｄ  ＭＡＣ）を受け取ると、これを暗復号化部２３に渡す。暗復号化部２３は、これらの情報を、管理装置３０との間で秘密裏に保持する共通鍵、あるいは、管理装置３０が秘密裏に保持する秘密鍵と対の公開鍵を用いて暗号化し、無線通信インターフェース部２２を介して、管理装置３０へ送信する（Ｓ１００６）。
【００５８】
管理装置３０の暗復号化部３３は、通信インターフェース部３２を介して、携帯装置２０より暗号化された情報を受け取ると、これを携帯装置２０との間で秘密裏に保持する共通鍵、あるいは、自装置が所有する秘密鍵を用いて復号化し、その結果得られたＩＤ番号、アトリビュート番号およびＫｅｙｅｄ  ＭＡＣを制御部３５に渡す。制御部３５は、暗復号化部３３より受け取ったＩＤ番号、アトリビュート番号およびＫｅｙｅｄ  ＭＡＣを検証部３４に渡して、検証を依頼する。
【００５９】
これを受けて、検証部３４は、Ｋｅｙｅｄ  ＭＡＣを用いてＩＤ番号およびアトリビュート番号が改ざんされているか否か検証する（Ｓ１００７）。具体的には、電子回路チップ１２の提供者が秘密裏に保持する秘密鍵と対の公開鍵を用いてＫｅｙｅｄ  ＭＡＣを復号化し、その結果得られた値をＫｅｙｅｄ  ＭＡＣとともに受け取ったＩＤ番号およびアトリビュート番号（あるいはそれらのハッシュ値）と比較する。両者が一致する場合、Ｋｅｙｅｄ  ＭＡＣは、電子回路チップ１２の提供者しか知り得ない秘密鍵を用いて、受け取ったＩＤ番号およびアトリビュート番号（あるいはそれらのハッシュ値）を暗号化した結果得られたものであることが立証されたので、ＩＤ番号およびアトリビュート番号は改ざんされていないと判断し、両者が一致しない場合は、ＩＤ番号およびアトリビュート番号は改ざんされたものと判断する。
【００６０】
検証の結果、ＩＤ番号およびアトリビュート番号が改ざんされている（ＮＧ）と判断された場合、管理装置３０の制御部３５は、暗復号化部３３および通信インターフェース３２を介して、携帯装置２０にエラー通知を送信する（Ｓ１００８）。携帯装置２０の制御部２６は、無線通信インターフェース部２２および暗復号化部２３を介して、管理装置３０より受け取った情報がエラー通知である場合、表示部２５にその旨表示する（Ｓ１００９）。
【００６１】
一方、検証の結果、ＩＤ番号およびアトリビュート番号が改ざんされていない（ＯＫ）と判断された場合、管理装置３０の制御部３５は、暗復号化部３３より受け取ったＩＤ番号に対応付けられた書き込み情報を、ＩＤデータベース３１より読み出す（Ｓ１０１０）。具体的には、まず、暗復号化部３３より受け取ったアトリビュート番号に対応付けられた（すなわち、受け取ったアトリビュート番号に分類された）ＩＤ番号を検索する。それから、検索したＩＤ番号のなかから、暗復号化部３３より受け取ったＩＤ番号を検索する。そして、暗復号化部３３より受け取ったＩＤ番号が登録された欄に対応付けられた書き込み情報を読み出す。
【００６２】
次に、管理装置３０の制御部３５は、ＩＤデータベース３１より読み出した書き込み情報を、暗復号化部３３に渡す。暗復号化部３３は、受け取った書き込み情報を、携帯装置２０との間で秘密裏に保持する共通鍵、あるいは、携帯装置２０が秘密裏に保持する秘密鍵と対の公開鍵を用いて暗号化し、通信インターフェース部３２を介して、携帯装置２０へ送信する（Ｓ１０１１）。
【００６３】
携帯装置２０の暗復号化部２３は、無線通信インターフェース部２２を介して、管理装置３０より暗号化された情報を受け取ると、これを管理装置３０との間で秘密裏に保持する共通鍵、あるいは、自装置が所有する秘密鍵を用いて復号化し、その結果得られた書き込み情報を制御部２６に渡す。制御部２６は、受け取った書き込み情報を表示部２５に表示する（Ｓ１０１２）。
【００６４】
次に、携帯装置２０の操作者が、ＩＣカード１０に書き込み情報を追記する場合の動作について説明する。
【００６５】
図１０は、本発明の第１実施形態において、携帯装置２０の操作者がＩＣカード１０に書き込み情報を追記する場合の動作の流れを示した図である。この図に示す動作は、携帯装置２０の操作者が、携帯装置２０をＩＣカード１０に近づけて、携帯装置２０の入力部２４にＩＣカード１０の書き込み情報とその書込指示を入力すると開始される。
【００６６】
まず、携帯装置２０の制御部２６は、入力部２４を介して、操作者よりＩＣカード１０の書き込み情報とその書込指示を受け付けると（Ｓ１１０１）、ＩＣカードインターフェース部２１を起動する。これにより、ＩＣカードインターフェース部２１は、電波を発生させ出力する（Ｓ１１０２）。
【００６７】
ＩＣカード１０に搭載された電子回路チップ１２は、アンテナ１２２でこの電波を受信し、電源発生回路１２１により電力を発生させ、電子回路チップ１２の各部を起動する（Ｓ１１０３）。それから、カウンタ回路１２７およびクロック抽出回路１２６で生成したクロックにしたがい、メモリ読み出し回路１２８により、メモリセル１２５から、電子回路チップ１２の提供者により予め記憶されたＩＤ番号、アトリビュート番号およびＫｅｙｅｄ  ＭＡＣを読み出し（Ｓ１１０４）、セレクタ１２３および送受信回路１２４により、アンテナ１２２から出力する（Ｓ１１０５）。
【００６８】
携帯装置２０の制御部２６は、ＩＣカードインターフェース部２１を介して、ＩＣカードが送信した情報（ＩＤ番号、アトリビュート番号およびＫｅｙｅｄ  ＭＡＣ）を受け取ると、これらの情報を先に入力部２４で受け付けた書き込み情報とともに暗復号化部２３に渡す。暗復号化部２３は、これらの情報を、管理装置３０との間で秘密裏に保持する共通鍵、あるいは、管理装置３０が秘密裏に保持する秘密鍵と対の公開鍵を用いて暗号化し、無線通信インターフェース部２２を介して、管理装置３０へ送信する（Ｓ１１０６）。
【００６９】
管理装置３０の暗復号化部３３は、通信インターフェース部３２を介して、携帯装置２０より暗号化された情報を受け取ると、これを携帯装置２０との間で秘密裏に保持する共通鍵、あるいは、自装置が所有する秘密鍵を用いて復号化し、その結果得られたＩＤ番号、アトリビュート番号、Ｋｅｙｅｄ  ＭＡＣおよび書き込み情報を制御部３５に渡す。制御部３５は、暗復号化部３３より受け取ったＩＤ番号、アトリビュート番号、Ｋｅｙｅｄ  ＭＡＣおよび書き込み情報のうち、ＩＤ番号、アトリビュート番号およびＫｅｙｅｄ  ＭＡＣを検証部３４に渡して、検証を依頼する。
【００７０】
これを受けて、検証部３４は、Ｋｅｙｅｄ  ＭＡＣを用いてＩＤ番号およびアトリビュート番号が改ざんされているか否か検証する（Ｓ１１０７）。
【００７１】
検証の結果、ＩＤ番号およびアトリビュート番号が改ざんされている（ＮＧ）と判断された場合、管理装置３０の制御部３５は、暗復号化部３３および通信インターフェース３２を介して、携帯装置２０にエラー通知を送信する（Ｓ１１０８）。携帯装置２０の制御部２６は、無線通信インターフェース部２２および暗復号化部２３を介して、管理装置３０より受け取った情報がエラー通知である場合、表示部２５にその旨表示する（Ｓ１１０９）。
【００７２】
一方、検証の結果、ＩＤ番号およびアトリビュート番号が改ざんされていない（ＯＫ）と判断された場合、管理装置３０の制御部３５は、暗復号化部３３より受け取ったＩＤ番号およびアトリビュート番号が登録されている欄をＩＤデータベース３１より検索し、この欄に、同じく暗復号化部３３より受け取った書き込み情報を登録・更新する（Ｓ１１１０）。具体的には、まず、暗復号化部３３より受け取ったアトリビュート番号に対応付けられた（すなわち、受け取ったアトリビュート番号に分類された）ＩＤ番号を検索する。それから、検索したＩＤ番号のなかから、暗復号化部３３より受け取ったＩＤ番号を検索する。そして、暗復号化部３３より受け取ったＩＤ番号が登録された欄に、暗復号化部３３より受け取った書き込み情報を登録・更新する。
【００７３】
次に、管理装置３０の制御部３５は、ＩＤデータベース３１への書き込み情報の登録が完了すると、暗復号化部３３および通信インターフェース３２を介して、携帯装置２０に完了通知を送信する（Ｓ１１１１）。携帯装置２０の制御部２６は、無線通信インターフェース部２２および暗復号化部２３を介して、管理装置３０より受け取った情報が完了通知である場合、表示部２５にその旨表示する（Ｓ１１１２）。
【００７４】
以上、本発明の第１実施形態について説明した。
【００７５】
本実施形態では、ＩＣカード１０に書き込み情報を追記する場合、携帯装置２０は、ＩＣカード１０よりＩＤ番号を読み出して書き込み情報とともに管理装置３０に送信する。これを受けて、管理装置３０は、当該書き込み情報を当該ＩＤ番号に対応付けてＩＤデータベース３１に登録する。一方、ＩＣカード１０の書き込み情報を調べる場合、携帯装置２０は、ＩＣカード１０よりＩＤ番号を読み出して管理装置３０に送信する。これを受けて、管理装置３０は、当該ＩＤ番号に対応付けられて登録された書き込み情報をＩＤデータベース３１から読み出し、携帯装置２０に送信する。携帯装置２０は、この書き込み情報を表示し、利用者に提示する。
【００７６】
このように、本実施形態によれば、ＩＣカード１０に追記すべき書き込み情報は、管理装置３０にて、ＩＣカード１０のＩＤ情報に対応付けられて管理されるため、ＩＣカード１０に搭載されたメモリが書き換え不可（ＲＯＭ）である場合でも、書き込み情報を、あたかも追記できるように取り扱うことができる。
【００７７】
また、非接触型の電子回路チップへのアクセスは、管理装置３０へのアクセスに比べて遅いので、ＩＣカード１０に書き換え可のメモリ（ＲＡＭ）を搭載し、当該メモリに書き込み情報を読み書きする場合に比べ、より高速に書き込み情報の読み書きを行なうことができる。
【００７８】
また、本実施形態では、ＩＣカード１０に、ＩＣカードの購入者や利用形態（ＩＣカードの購入者が管理する個人を証明するための証明書としての利用か、あるいは、ＩＣカードの購入者が販売する商品を管理するための商品タグとしての利用かなど）に応じた番号であるアトリビュート番号を割り当て、これをＩＣカード１０にＩＤ番号とともに予め記憶しておき、また、管理装置３０にて、ＩＤ番号が少なくとも１つのアトリビュート番号に属するように分類して（対応付けて）管理している。そして、ＩＣカード１０に書き込み情報を追記する場合、携帯装置２０は、ＩＣカード１０よりＩＤ番号とアトリビュート番号を読み出して追記する書き込み情報とともに管理装置３０に送信する。これを受けて、管理装置３０は、当該書き込み情報を、当該アトリビュート番号に分類されて管理されている当該ＩＤ情報に対応付けてＩＤデータベース３１に登録する。一方、ＩＣカード１０に追記された書き込み情報を調べる場合、携帯装置２０は、ＩＣカード１０よりＩＤ番号とアトリビュート番号を読み出して管理装置３０に送信する。これを受けて、管理装置３０は、当該アトリビュート番号に分類されて管理されている当該ＩＤ番号に対応付けられて登録された書き込み情報をＩＤデータベース３１から読み出して、携帯装置２０に送信する。携帯装置２０は、この書き込み情報を表示し、利用者に提示する。
【００７９】
このため、本実施形態によれば、管理装置３０により多くのＩＣカード１０のＩＤ番号が管理されている場合、追記すべき書き込み情報の登録および読み出しを、より高速に行なうことが可能となる。
【００８０】
さらに、本実施形態では、管理装置３０が所有する鍵を用いて認証可能なＩＤ番号の認証情報（Ｋｅｙｅｄ  ＭＡＣ）を当該ＩＤ番号とともにＩＣカード１０に予め記憶している。このため、ＩＣカード１０に記憶されたＩＤ番号の改ざんの有無を、この認証情報と管理装置３０が所有する鍵を用いて検証することが可能になるので、ＩＣカード１０に格納されているＩＤ番号の改ざん等に対するセキュリティを向上させることができる。
【００８１】
なお、上記の第１実施形態では、ＩＣカード１０の電子回路チップ１２に記憶する情報として、図３（ａ）に示すように、ＩＤ番号と少なくとも１つのアトリビュート番号Ａ1〜Ａnと、Ｋｅｙｅｄ  ＭＡＣを含んだものについて説明した。しかしながら、電子回路チップ１２に記憶する情報として、アトリビュート番号Ａ1〜Ａnの数が異なるものを混在して使用するのであれば、図３（ｂ）に示すように、電子回路チップ１２に記憶する情報に、アトリビュート番号Ａ1〜Ａnの数を示すクラス情報を付加するようにしてもよい。そして、図７（ｂ）に示すように、ＩＤ番号を、アトリビュート番号およびクラス番号に対応付けてＩＤデータベース３１に登録するようにしてもよい。クラス番号を用いて検索範囲を絞ってからアトリビュート番号を用いてさらに検索範囲を絞り、それからＩＤ番号を検索することで、ＩＤ番号の検索をより高速に行なうことが可能となる。
【００８２】
また、上記の第１実施形態では、ＩＣカード１０より読み出したＫｅｙｅｄ  ＭＡＣを用いたＩＤ番号およびアトリビュート番号の検証を、管理装置３０にて行なっているが、携帯装置２０に図６に示す検証部３４を設けて、携帯装置２０において行なうようにしてもよい。そして、ＩＣカード１０より読み出したＩＤ番号およびアトリビュート番号が改ざんされていないことが確認された場合にのみ、当該ＩＤ番号およびアトリビュート番号を管理装置３０に送信するようにしてもよい。
【００８３】
また、上記の第１実施形態では、携帯装置２０の操作者が、ＩＣカード１０の書き込み情報を調べる場合の動作と、ＩＣカード１０に書き込み情報を追記する場合の動作とを、それぞれ、別個独立した動作として説明した。しかしながら、この２つの動作は、連続した１つの動作として行なわれることもある。すなわち、まず、ＩＣカード１０の書き込み情報を調べてから、当該ＩＣカード１０の書き込み情報を変更するような場合も考えられる。このような場合（携帯装置２０の表示部２５に表示中の書き込み情報が、入力部２４を介して操作者により修正され、それから、操作者より書込指示が入力された場合）、図１０において、Ｓ１１０２〜Ｓ１１０５の処理と、Ｓ１１０７〜Ｓ１１０９の処理は、省略するようにしてもよい。
【００８４】
次に、本発明の第２実施形態について説明する。
【００８５】
本実施形態は、上記の第１実施形態において、携帯装置２０が続けて複数のＩＣカード１０の書き込み情報を調べる場合に、前記複数のＩＣカード１０の電子回路チップ１２に記憶されたアトリビュート番号が同じときには、ＩＣカード１０からＩＤ番号やアトリビュート番号などの情報を読み出す毎に管理装置３０にアクセスするのを防止し、これにより、より高速に書き込み情報の検索ができるように修正したものである。
【００８６】
本実施形態は、携帯装置２０、管理装置３０の構成および管理装置３０のＩＤデータベース３１に格納される情報の構成が上記の第１実施形態と異なる。
【００８７】
図１１は、本発明の第２実施形態で用いる携帯装置２０の概略構成図である。
【００８８】
図示するように、本実施形態の携帯装置２０が、図４に示す第１実施形態のものと異なる点は、検証部２７と、テンポラリＩＤデータベース２８と、アトリビュート番号−表示内容対応テーブル２９を設けた点である。
【００８９】
検証部２７は、図６に示す第１実施形態の管理装置３０の検証部３４と同じ機能を有する。すなわち、ＩＣカード１０からＫｅｙｅｄ  ＭＡＣを、電子回路チップ１２の提供者がこれを生成するのに用いた秘密鍵と対の公開鍵を用いて復号化し、これをＫｅｙｅｄ  ＭＡＣとともＩＣカード１０から読み出したＩＤ番号やアトリビュート番号と比較することで、当該ＩＤ番号やアトリビュート番号を検証する。
【００９０】
テンポラリＩＤデータベース２８は、管理装置３０より送信されたＩＤデータベース３１の登録内容の一部を一時的に保管する。
【００９１】
アトリビュート番号−表示内容対応テーブル２９には、各アトリビュート番号Ａ1〜Ａn毎（すなわち、ＩＣカードの各属性毎）に、アトリビュート番号として割り当てられた番号とその番号が示す表示内容が対応付けられて登録されている。アトリビュート番号−表示内容対応テーブル２９の内容は、定期的に、あるいは、操作者の指示にしたがい、管理装置３０からダウンロードされて更新されるものとする。
【００９２】
図１２は、本発明の第２実施形態で用いる管理装置３０の概略構成図である。
【００９３】
図示するように、本実施形態の管理装置３０が、図６に示す第１実施形態のものと異なる点は、検証部３４が設けられていない点、および、アトリビュート番号−表示内容対応テーブル３６を設けた点である。また、ＩＤデータベース３１に格納される情報の構成が異なる。
【００９４】
アトリビュート番号−表示内容対応テーブル３６には、各アトリビュート番号Ａ1〜Ａn毎（すなわち、ＩＣカードの各属性毎）に、アトリビュート番号として割り当てられた番号とその番号が示す表示内容が対応付けられて登録されている。アトリビュート番号−表示内容対応テーブル３６の内容は、定期的に、あるいは、携帯装置２０よりの指示にしたがい、携帯装置２０へダウンロードされる。これにより、携帯装置２０のアトリビュート番号−表示内容対応テーブル２９の登録内容が更新される。
【００９５】
ＩＤデータベース部３１には、図１３に示すように、ＩＣカード１０の電子回路チップ１２の提供者が各電子回路チップ１２に割り当てたＩＤ番号が、当該ＩＤ番号とともに割り当てたアトリビュート番号に対応付けられて登録されている。また、各ＩＤ番号が登録された欄には、ＩＣカード１０の購入者が、自身が独自に管理するための管理番号であるユーザＩＤ番号と書き込み情報を登録するためのエリアが設けられており、必要に応じて、その内容が更新される。
【００９６】
次に、上記構成の管理システムの動作について説明する。
【００９７】
まず、携帯装置２０の操作者が、ＩＣカード１０の書き込み情報を調べる場合の動作について説明する。
【００９８】
図１４は、本発明の第２実施形態において、携帯装置２０の操作者がＩＣカード１０の書き込み情報を調べる場合の動作の流れを示した図である。この図に示す動作は、携帯装置２０の操作者が、携帯装置２０をＩＣカード１０に近づけて、携帯装置２０の入力部２４にＩＣカード１０の書き込み情報の表示指示を入力すると開始される。
【００９９】
まず、携帯装置２０の制御部２６は、入力部２４を介して、操作者よりＩＣカード１０の書き込み情報の表示指示を受け付けると（Ｓ２００１）、ＩＣカードインターフェース部２１を起動する。これにより、ＩＣカードインターフェース部２１は、電波を発生させ出力する（Ｓ２００２）。
【０１００】
ＩＣカード１０に搭載された電子回路チップ１２は、この電波を利用して電力を発生させ、電子回路チップ１２の各部を起動する。それから、電子回路チップ１２の提供者によりメモリセル１２５に予め記憶されたＩＤ番号、アトリビュート番号およびＫｅｙｅｄ  ＭＡＣを読み出し（Ｓ２００３）、アンテナ１２２より出力する（Ｓ２００４）。
【０１０１】
携帯装置２０の制御部２６は、ＩＣカードインターフェース部２１を介して、ＩＣカード１０が送信した情報（ＩＤ番号、アトリビュート番号およびＫｅｙｅｄ  ＭＡＣ）を受け取ると、テンポラリＩＤデータベース２８の内容更新の要否を判定する（Ｓ２００５）。具体的には、ＩＣカード１０より送られてきたアトリビュート番号がテンポラリＩＤデータベース２８に記憶されている内容（管理装置３０のＩＤデータベース３１の一部）に含まれている場合は更新の必要なしと判定し、ＩＣカード１０より送られてきたアトリビュート番号がテンポラリＩＤデータベース２８に記憶されている内容に含まれていない場合、あるいは、テンポラリＩＤデータベース２８に何も記憶されていない場合は、更新の必要ありと判定する。
【０１０２】
テンポラリＩＤデータベース２８の内容更新の必要ありと判定された場合、携帯装置２０の制御部２６は、ＩＣカード１０より送られてきたアトリビュート番号を暗復号化部２３に渡す。暗復号化部２３は、この情報を、管理装置３０との間で秘密裏に保持する共通鍵、あるいは、管理装置３０が秘密裏に保持する秘密鍵と対の公開鍵を用いて暗号化し、無線通信インターフェース部２２を介して、管理装置３０へ送信する（Ｓ２００６）。
【０１０３】
管理装置３０の暗復号化部３３は、通信インターフェース部３２を介して、携帯装置２０より暗号化された情報を受け取ると、これを携帯装置２０との間で秘密裏に保持する共通鍵、あるいは、自装置が所有する秘密鍵を用いて復号化し、その結果得られたアトリビュート番号を制御部３５に渡す。制御部３５は、暗復号化部３３より受け取ったアトリビュート番号が登録されている部分の欄のＩＤ番号、ユーザＩＤ番号および書き込み情報（図１３参照）を、ＩＤデータベース３１からすべて読み出し、これらを暗復号化部３３に渡す。暗復号化部３３は、受け取った情報（ＩＤデータベース３１の一部）を、携帯装置２０との間で秘密裏に保持する共通鍵、あるいは、携帯装置２０が秘密裏に保持する秘密鍵と対の公開鍵を用いて暗号化し、通信インターフェース部３２を介して、携帯装置２０へ送信する（Ｓ２００７）。
【０１０４】
携帯装置２０の暗復号化部２３は、無線通信インターフェース部２２を介して、管理装置３０より暗号化された情報を受け取ると、これを管理装置３０との間で秘密裏に保持する共通鍵、あるいは、自装置が所有する秘密鍵を用いて復号化し、その結果得られた情報（ＩＤデータベース３１の一部）を制御部２６に渡す。これを受けて、制御部２６は、暗復号化部２３より受け取った情報（ＩＤデータベース３１の一部）を、ＩＣカード１０より送られてきたアトリビュート番号に対応付けて、テンポラリＩＤデータベース２８に登録・更新する（Ｓ２００８）。それから、ＩＣカード１０より送られてきたＩＤ番号とアトリビュート番号とＫｅｙｅｄ  ＭＡＣを検証部２７に渡して、検証を依頼する。
【０１０５】
一方、Ｓ２００５において、テンポラリＩＤデータベース２８の内容更新の必要なしと判定された場合は、直ちに、ＩＣカード１０より送られてきたＩＤ番号とアトリビュート番号とＫｅｙｅｄ  ＭＡＣを検証部２７に渡して、検証を依頼する。
【０１０６】
検証部２７は、Ｋｅｙｅｄ  ＭＡＣを用いてＩＤ番号およびアトリビュート番号が改ざんされているか否か検証する（Ｓ２００９）。検証の結果、ＩＤ番号およびアトリビュート番号が改ざんされている（ＮＧ）と判断された場合、携帯装置２０の制御部２６は、表示部２５にエラー通知を旨表示する（Ｓ２０１０）。
【０１０７】
一方、ＩＤ番号およびアトリビュート番号が改ざんされていない（ＯＫ）と判断された場合、携帯装置２０の制御部２６は、ＩＣカード１０より送られてきたＩＤ番号をテンポラリＩＤデータベース２８より検索し、検索したＩＤ番号が登録された欄に対応付けられたユーザＩＤ番号と書き込み情報を読み出す。また、制御部２６は、ＩＣカード１０より送られてきたアトリビュート番号に対応付けられた表示内容をアトリビュート番号−表示内容対応テーブル２９から読み出す。そして、この表示内容を、前記読み出したユーザＩＤ番号および書き込み情報とともに、表示部２５に表示する（Ｓ２０１１）。
【０１０８】
次に、携帯装置２０の操作者が、ＩＣカード１０にユーザＩＤ番号や書き込み情報を追記する場合の動作について説明する。
【０１０９】
図１５は、本発明の第２実施形態において、携帯装置２０の操作者がＩＣカード１０に書き込み情報を追記する場合の動作の流れを示した図である。この図に示す動作は、携帯装置２０の操作者が、携帯装置２０をＩＣカード１０に近づけて、携帯装置２０の入力部２４にＩＣカード１０のユーザＩＤ番号あるいは書き込み情報とその書込指示を入力すると開始される。
【０１１０】
まず、携帯装置２０の制御部２６は、入力部２４を介して、操作者よりＩＣカード１０のユーザＩＤ番号あるいは書き込み情報とその書込指示を受け付けると（Ｓ２１０１）、ＩＣカードインターフェース部２１を起動する。これにより、ＩＣカードインターフェース部２１は電波を発生させ出力する（Ｓ２１０２）。
【０１１１】
ＩＣカード１０に搭載された電子回路チップ１２は、この電波を利用して電力を発生させ、電子回路チップ１２の各部を起動する。それから、電子回路チップ１２の提供者によりメモリセル１２５に予め記憶されたＩＤ番号、アトリビュート番号およびＫｅｙｅｄ  ＭＡＣを読み出し（Ｓ２１０３）、アンテナ１２２より出力する（Ｓ２１０４）。
【０１１２】
携帯装置２０の制御部２６は、ＩＣカード１０より送られてきたＩＤ番号とアトリビュート番号とＫｅｙｅｄ  ＭＡＣを検証部２７に渡して、検証を依頼する。これを受けて、検証部２７は、Ｋｅｙｅｄ  ＭＡＣを用いてＩＤ番号およびアトリビュート番号が改ざんされているか否か検証する（Ｓ２１０５）。
【０１１３】
検証の結果、ＩＤ番号およびアトリビュート番号が改ざんされている（ＮＧ）と判断された場合、携帯装置２０の制御部２６は、表示部２５にエラー通知を旨表示する（Ｓ２１０６）。一方、ＩＤ番号およびアトリビュート番号が改ざんされていない（ＯＫ）と判断された場合、携帯装置２０の制御部２６は、入力部２４で受け付けたＩＣカード１０のユーザＩＤ番号あるいは書き込み情報をＩＣカード１０より送られてきたＩＤ番号およびアトリビュート番号に対応付けて、メモリ２０２などに記憶し仮登録する。また、その旨を表示部２５に表示する（Ｓ２１０７）。
【０１１４】
携帯装置２０の操作者が、携帯装置２０をＩＣカード１０に近づけて、携帯装置２０の入力部２４にＩＣカード１０のユーザＩＤ番号あるいは書き込み情報とその書込指示を入力するといった一連の操作を、ユーザＩＤ番号あるいは書き込み情報を追記しようとしているＩＣカード１０の数だけ繰り返し行なうことで、上記のＳ２１０１〜Ｓ２１０７の処理が繰り返し実行され、仮登録されたユーザＩＤ番号あるいは書き込み情報とＩＤ番号とアトリビュート番号の組みが追加されていくことになる。携帯装置２０の操作者が、携帯装置２０の入力部２４にデータベース更新指示を入力すると、以下の処理が実行され、上記のようにして仮登録されたユーザＩＤ番号あるいは書き込み情報とＩＤ番号とアトリビュート番号の複数の組みが、管理装置３０のＩＤデータベース３１に登録される。
【０１１５】
まず、携帯装置２０の制御部２６は、入力部２４を介して、操作者よりデータベース更新指示を受け付けると（Ｓ２２０１）、メモリ２０２などに仮登録しておいたユーザＩＤ番号あるいは書き込み情報とＩＤ番号とアトリビュート番号の組みをすべて読み出し、暗復号化部２３に渡す。また、読み出した組みのなかに、アトリビュート番号がテンポラリＩＤデータベース２８に記憶されているものと一致するものがある場合は、当該組みの内容をテンポラリＩＤデータベース２８に反映させる。暗復号化部２３は、これらの組みの情報を、管理装置３０との間で秘密裏に保持する共通鍵、あるいは、管理装置３０が秘密裏に保持する秘密鍵と対の公開鍵を用いて暗号化し、無線通信インターフェース部２２を介して、管理装置３０へ送信する（Ｓ２２０２）。
【０１１６】
管理装置３０の暗復号化部３３は、通信インターフェース部３２を介して、携帯装置２０より暗号化された情報を受け取ると、これを携帯装置２０との間で秘密裏に保持する共通鍵、あるいは、自装置が所有する秘密鍵を用いて復号化し、その結果得られたユーザＩＤ番号あるいは書き込み情報とＩＤ番号とアトリビュート番号の組みをすべて制御部３５に渡す。制御部３５は、暗復号化部３３より受け取ったすべての組み各々について、アトリビュート番号およびＩＤ番号が登録されている欄をＩＤデータベース３１から検索し、検索した欄のユーザＩＤ番号あるいは書き込み情報の欄に、当該組みのユーザＩＤ番号あるいは書き込み情報を書き込む（Ｓ２２０３）。これにより、仮登録された組みの内容をＩＤデータベース３１に反映させ、ＩＤデータベース３１を更新する。
【０１１７】
次に、管理装置３０の制御部３５は、ＩＤデータベース３１の更新が完了すると、暗復号化部３３および通信インターフェース３２を介して、携帯装置２０に完了通知を送信する（Ｓ２２０４）。携帯装置２０の制御部２６は、無線通信インターフェース部２２および暗復号化部２３を介して完了通知を受け取ると、表示部２５にその旨表示する（Ｓ２２０５）。
【０１１８】
以上、本発明の第２実施形態について説明した。
【０１１９】
本実施形態では、ＩＣカード１０の書き込み情報を調べる場合、携帯装置２０は、ＩＣカード１０より読み出したアトリビュート番号が、自装置２０が備えるテンポラリＩＤデータベース２８に登録されているか否かを調べ、登録されている場合には、ＩＣカード１０より読み出したＩＤ番号に対応付けられた書き込み情報をテンポラリＩＤデータベース２８から読み出す。
【０１２０】
このため、本実施形態によれば、携帯装置２０が続けて複数のＩＣカード１０の書き込み情報を調べる場合に、前記複数のＩＣカード１０の電子回路チップ１２に記憶されたアトリビュート番号が同じときには、ＩＣカード１０からＩＤ番号やアトリビュート番号などの情報を読み出す毎に管理装置３０にアクセスする必要がなくなるので、より高速に書き込み情報の検索が可能となる。
【０１２１】
また、本実施形態では、ＩＣカード１０に書き込み情報を追記する場合、携帯装置２０は、まず、ＩＣカード１０よりＩＤ番号を読み出し、これを書き込み情報に対応させてメモリなどに仮登録しておく。そして、データベース更新指示があった場合に、上記のようにして仮登録しておいたＩＤ番号と書き込み情報の組み全てを管理装置３０に送信して、管理装置３０が備えるＩＤデータベース３１に反映させる。
【０１２２】
このため、本実施形態によれば、携帯装置２０が続けて複数のＩＣカード１０に書き込み情報を追記する場合に、前記複数のＩＣカード１０からＩＤ番号を読み出す毎に管理装置３０にアクセスする必要がなくなるので、より高速に書き込み情報の追記が可能となる。
【０１２３】
さらに、本実施形態では、ＩＣカード１０への追記情報として、書き込み情報に加えて、ＩＣカード１０の購入者が独自に設定可能な管理番号であるユーザＩＤ番号を設けているので、ＩＣカード１０の購入者は、ＩＣカード１０の電子回路チップ１２に記憶されたＩＤ番号を意識することなく、独自の管理番号であるユーザＩＤ番号を用いて、ＩＣカード１０の管理を行なうことが可能となる。加えて、本実施形態では、携帯装置２０に、ＩＣカード１０の書き込み情報やユーザＩＤ番号を表示する際に、アトリビュート番号−表示内容対応テーブル２９を用いることにより、ＩＣカード１０より読み出したアトリビュート番号が示す属性の内容を併せて表示しているので、ＩＣカード１０の管理をより効率よく行なうことが可能となる。
【０１２４】
なお、上記の第２実施形態では、テンポラリＩＤデータベース２８を携帯装置２０内に設けているが、テンポラリＩＤデータベース２８は、携帯装置２８にローカル接続された他の電子計算機上に設けるようにしてもよい。
【０１２５】
また、上記の第２実施形態では、携帯装置２０の操作者が、ＩＣカード１０の書き込み情報を調べる場合の動作と、ＩＣカード１０に書き込み情報を追記する場合の動作とを、それぞれ、別個独立した動作として説明した。しかしながら、この２つの動作は、連続した１つの動作として行なわれることもある。すなわち、まず、ＩＣカード１０の書き込み情報を調べてから、当該ＩＣカード１０の書き込み情報を変更するような場合も考えられる。このような場合（携帯装置２０の表示部２５に表示中の書き込み情報が、入力部２４を介して操作者により修正され、それから、操作者より書込指示が入力された場合）、図１５において、Ｓ２１０２〜Ｓ２１０６の処理は省略してもよい。すなわち、図１４に示すＳ２００１〜Ｓ２０１１と図１５のＳ２１０１、Ｓ２１０７が一連の処理として行なわれて、複数のＩＣカード１０に追記する書き込み情報やユーザＩＤ情報が仮登録された後、図１５のＳ２２０１〜Ｓ２２０５が実施されて、前記仮登録された複数のＩＣカード１０の書き込み情報やユーザＩＤ情報がＩＤデータベース３１に反映されるようにしてもよい。
【０１２６】
次に、以上説明した本発明の各実施形態の利用形態について説明する。
【０１２７】
（１）個人証明カードへの適用
ＩＣカード１０の書き込み情報として、ＩＣカード利用者の氏名や生年月日や利用者自身を撮像した映像などの情報を追記しておくことで、個人証明カードとして利用することができる。また、ＩＣカード１０の書き込み情報として、上記に加えて有効期限などの情報を追記しておけば、たとえば運転免許証などの更新の必要のあるものにも適用できる。
【０１２８】
（２）商品券への適用
ＩＣカード１０の書き込み情報として、使用可・不可を示す情報や使用期間を示す情報を追記しておくことで、一度しか使用できないような商品券（たとえば図書券など）や期間限定の商品券として利用することができる。また、ＩＣカード１０の書き込み情報として、当該ＩＣカード１０を使用した日時や場所などの履歴情報を追記しておけば、当該ＩＣカード１０を複数回使用可能な商品券として利用した場合、たとえば、ＩＣカード１０の追記された履歴情報が物理的に離れた場所で略同時に使用されたこと示しているときには、当該ＩＣカード１０が不正に複製されて使用されている可能性が高いとして、当該ＩＣカード１０の不正使用を検知することが可能となる。
【０１２９】
（３）商品タグへの適用
ＩＣカード１０の書き込み情報として、商品の名称・種類やその商品に携わる者（製造者や流通業者など）に関する情報を追記し、当該ＩＣカード１０を商品に付すことで、商品タグとして利用することができる。商品タグは、その商品販売者（携帯装置２０の操作者が商品販売者の場合）からすれば、棚卸しや在庫管理などに利用することができ、また、その商品の購入を検討している者（携帯装置２０の操作者が商品の購入を検討している者の場合）からすれば、その商品の詳細な情報を入手するためのカタログとして利用することができる。その他、展覧会の展示品の説明などにも利用することができる。
【０１３０】
（４）バーコードへの適用
電子回路チップ１２を直接商品やそのパッケージに付し、当該チップ１２に、従来、バーコードにより特定されているコードを記憶させ、書き込み情報としてそのコードに関連付けられた情報を用いることで、バーコードとして利用することができる。
【０１３１】
以上、本発明の各実施形態について説明した。
【０１３２】
なお、本発明は、上記の各実施形態に限定されるものではなく、その要旨の範囲内で数々の変形が可能である。
【０１３３】
たとえば、上記の各実施形態では、携帯装置２０および管理装置３０間の通信に暗号通信を利用したものについて説明した。しかしながら、これに限定されるものではなく、携帯装置２０および管理装置３０間が専用のネットワークで接続されており、通信のセキュリティが確保されているような場合には、暗号通信を利用しなくてもかまわない。また、管理装置３０は複数設けてもよく、たとえば、そのうちの１つが専用のネットワークで携帯装置２０と接続されるようにしてもよい。さらに、携帯装置２０は、必ずしも無線通信機能を備えている必要はなく、管理装置３０との通信機能を備えているものであればどのようなものであってもよい。
【０１３４】
また、上記の各実施形態では、ＩＣカード１０から情報を読み取り管理装置３０へ送信する装置として、持ち運び可能な携帯装置２０を用いた場合について説明したが、これに限定されるものではなく、ＩＣカード１０から情報を読み取り管理装置３０へ送信する装置として、据え置き型の電子計算機を利用してもかまわない。
【０１３５】
さらに、上記の各実施形態では、ＩＣカード１０の電子回路チップ１２に記憶するＫｅｙｅｄ  ＭＡＣとして、電子回路チップ１２に記憶されているＩＤ番号とアトリビュート番号（あるいはそのハッシュ値）を暗号化したものを用いることで、ＩＤ番号とアトリビュート番号の改ざんを検知できるようにしたものについて説明した。しかしながら、本発明は、これに限定されない。たとえば、電子回路チップ１２に記憶するＫｅｙｅｄ  ＭＡＣとして、電子回路チップ１２に記憶されているＩＤ番号およびアトリビュート番号に加え、当該電子回路チップ１２のＩＣカード１０への搭載位置や当該ＩＣカード１０あるいは電子回路チップ１２のサイズなどの、予め定められたＩＣカード１０に固有の情報も含めて、これら（あるいはこれらのハッシュ値）を暗号化することで、Ｋｅｙｅｄ  ＭＡＣを生成するようにしてもよい。この場合、Ｋｅｙｅｄ  ＭＡＣの検証は、携帯装置２０にて、以下のようにして行なえばよい。
【０１３６】
すなわち、ＩＣカード１０の電子回路チップ１２から、Ｋｅｙｅｄ  ＭＡＣをＩＤ番号およびアトリビュート番号とともに読み出し、Ｋｅｙｅｄ  ＭＡＣを復号化する。そして、復号化した結果得られたデータに、Ｋｅｙｅｄ  ＭＡＣとともに読み出したＩＤ番号およびアトリビュート番号（あるいはそのハッシュ値）と一致するデータが含まれているか否かを調べることで、当該ＩＤ番号およびアトリビュート番号が改ざんされているか否かを検証する。
【０１３７】
次に、予め定められたＩＣカード１０の固有の情報（電子回路チップ１２のＩＣカード１０への搭載位置やＩＣカード１０あるいは電子回路チップ１２のサイズなど）を測定し、測定結果（あるいはそのハッシュ値）を示すデータが、復号化した結果得られたデータに含まれているか否かを調べる。
【０１３８】
このようにすることで、たとえば、ＩＣカード１０の電子回路チップ１２から読み出した情報がそのまま他の電子回路チップに書き込まれた場合でも、当該他の電子回路チップのＩＣカードへの搭載位置や、当該他の電子回路チップあるいはＩＣカードのサイズが多少でも異なれば、測定結果を示すデータは、復号化した結果得られたデータに含まれないことになるので、不正コピーを検出することが可能となる。
【０１３９】
なお、予め定められたＩＣカード１０の固有の情報（電子回路チップ１２のＩＣカード１０への搭載位置やＩＣカード１０あるいは電子回路チップ１２のサイズなど）の測定は、たとえば、携帯装置２０にカメラを設け、このカメラを用いて、所定の撮影距離・倍率でＩＣカード１０を撮影してＩＣカード１０の画像を取得し、この取得した画像に基づいて測定するようにすればよい。
【０１４０】
また、上記の各実施形態では、ＩＣカード１０の電子回路チップ１２に記憶するＫｅｙｅｄ  ＭＡＣとして、当該電子回路チップ１２に記憶されている情報を電子回路チップ１２の提供者が所有する秘密鍵で暗号化したものを用いているが、当該電子回路チップ１２に記憶されている情報を、電子回路チップ１２の提供者が管理装置３０との間で秘密裏に保持する共通鍵を用いて暗号化することで、Ｋｅｙｅｄ  ＭＡＣを生成するようにしてもよい。そして、前記共通鍵を用いてＫｅｙｅｄ  ＭＡＣを復号化した結果をＩＤ番号やアトリビュート番号と比較することで、ＩＤ番号やアトリビュート番号の改ざんを検証するようにしてもよい。また、Ｋｅｙｅｄ  ＭＡＣを生成する鍵は、アトリビュート番号毎に異なるようにしてもよい。
【０１４１】
さらに、上記の各実施形態では、ＩＣカード１０に１つの電子回路チップ１２を搭載したものについて説明したが、同一の情報を記憶した複数の電子回路チップ１２をＩＣカード１０に搭載するようにしてもよい。このようにすることで、ＩＣカード１０に複数搭載された電子回路チップ１２のいずれかが破損した場合でも、その他の電子回路チップ１２から情報を取り出すことが可能になるので、ＩＣカード１０の寿命を長くすることができる。
【０１４２】
なお、この場合、携帯装置２０のＩＣカードインターフェース部２１を以下のように修正してもよい。すなわち、ＩＣカードインターフェース部２１は、電波を発生し、ＩＣカード１０に搭載された複数の電子回路チップ１２各々から情報を読み取る。この際、応答しない（情報を送信しない）電子回路チップ１２の数を計測し、計測数が所定値に達したときは、表示部２５にＩＣカード１０の交換時期がきた旨を表示する。また、複数の電子回路チップ１２が応答した場合、ＩＣカードインターフェース部２１は、そのうちの１つを選択して、制御部３６に渡す。
【０１４３】
また、上記の各実施形態では、携帯装置２０として、ＩＣカード１０の書き込み情報の表示と登録の両方を行なえるものについて説明したが、ＩＣカード１０の書き込み情報の登録を所定の権限を有する者にのみ認めるようにするために、所定のパスワードが入力された場合や所定のキーが装着された場合にのみ、書き込み情報の入力および書き込み情報の書込指示を受け付けるようにしてもよい。
【０１４４】
また、上記の各実施形態では、ＩＣ番号を記憶する記憶媒体として、シート１１上に電子回路チップ１２が搭載されたＩＣカード１０を用いた場合について説明したが、本発明はこれに限定されない。たとえば、電子回路チップ１２を商品やそのパッケージに直接装着する場合にも、広く適用可能である。
【０１４５】
【発明の効果】
以上説明したように、本発明によれば、電子回路チップを搭載したカードや磁気記録カードなどの記憶媒体に、当該記憶媒体が記憶可能な容量を越えた情報を、あるいは、書き換え不可の記憶媒体に、情報を、あたかも追記できるように取り扱えるようにすることができる。
【図面の簡単な説明】
【図１】本発明の第１実施形態が適用された管理システムの概略構成図である。
【図２】本発明の第１実施形態で用いるＩＣカード１０の概略構成を示す図である。
【図３】図２に示す電子回路チップ１２のメモリセル１２５に記憶されている情報を説明するための図である。
【図４】本発明の第１実施形態で用いる携帯装置２０の概略構成を示す図である。
【図５】図４に示す携帯装置２０のハードウエア構成例を示す図である。
【図６】本発明の第１実施形態で用いる管理装置３０の概略構成を示す図である。
【図７】図６に示すＩＤデータベース部３１の登録内容を説明するための図である。
【図８】図６に示す管理装置３０のハードウエア構成例を示す図である。
【図９】本発明の第１実施形態において、携帯装置２０の操作者がＩＣカード１０の書き込み情報を調べる場合の動作の流れを示した図である。
【図１０】本発明の第１実施形態において、携帯装置２０の操作者がＩＣカード１０に書き込み情報を追記する場合の動作の流れを示した図である。
【図１１】本発明の第２実施形態で用いる携帯装置２０の概略構成図である。
【図１２】本発明の第２実施形態で用いる管理装置３０の概略構成図である。
【図１３】図１２に示すＩＤデータベース部３１の登録内容を説明するための図である。
【図１４】本発明の第２実施形態において、携帯装置２０の操作者がＩＣカード１０の書き込み情報を調べる場合の動作の流れを示した図である。
【図１５】本発明の第２実施形態において、携帯装置２０の操作者がＩＣカード１０に書き込み情報を追記する場合の動作の流れを示した図である。
【符号の説明】
１０・・・ＩＣカード
１１・・・シート
１２・・・電子回路チップ
２０・・・携帯装置
２１・・・ＩＣカードインターフェース部
２２・・・無線通信インターフェース部
２３、３３・・・暗復号化部
２４・・・入力部
２５・・・表示部
２６、３５・・・制御部
２７、３４・・・検証部
２８・・・テンポラリＩＤデータベース
２９、３６・・・アトリビュート番号−表示内容対応テーブル
３０・・・管理装置
３１・・・ＩＤデータベース
３２・・・通信インターフェース部
４０・・・無線基地局
５０・・・公衆網
１２１・・・電源発生回路
１２２・・・アンテナ
１２３・・・セレクタ
１２４・・・送受信回路
１２５・・・メモリセル
１２６・・・クロック抽出回路
１２７・・・カウンタ回路
１２８・・・メモリ読み出し回路
２０１、３０１・・・ＣＰＵ
２０２、３０２・・・メモリ
２０３、３０３、３０４・・・外部記憶装置
２０５・・・入力兼表示装置
２０６・・・ＩＣカードリーダ
２０７・・・・無線電話機
２０８、３０８・・・インターフェース
３０７・・・通信装置
【図１】
0003718382.tif 000002
【図２】
0003718382.tif 000003
【図３】
0003718382.tif 000004
【図４】
0003718382.tif 000005
【図５】
0003718382.tif 000006
【図６】
0003718382.tif 000007
【図７】
0003718382.tif 000008
【図８】
0003718382.tif 000009
【図９】
0003718382.tif 000010
【図１０】
0003718382.tif 000011
【図１１】
0003718382.tif 000012
【図１２】
0003718382.tif 000013
【図１３】
0003718382.tif 000014
【図１４】
0003718382.tif 000015
【図１５】
0003718382.tif 000016